(57)【要約】      （修正有）【課題】縁切り部材周辺の雨水の滞留を改善し、簡易かつ低コストの屋根材のクシ状縁切り材を提供する。【解決手段】上下屋根材の重なり部に挿入され、重なり部に常時空間を形成し、屋根材間に侵入した雨水を排水させる屋根材のクシ状縁切り材１であって、上屋根材の下端部に引っ掛り挿入位置の位置決めをするストッパー２と、ストッパーの底部に上屋根材の下端部側のストッパー面と略垂直になるよう所定の間隔をもって固定された複数本のクシ４で構成される挿入部３と、からなることを特徴とする。【選択図】図１
0003189311.tif 000002
【実用新案登録請求の範囲】
【請求項１】
上下屋根材の重なり部に挿入され、前記重なり部に常時空間を形成し、屋根材間に侵入した雨水を排水させる屋根材のクシ状縁切り材であって、
上屋根材の下端部に引っ掛り挿入位置の位置決めをするストッパーと、
前記ストッパーの底部に上屋根材の下端部側のストッパー面と略垂直になるよう所定の間隔をもって固定された複数本のクシで構成される挿入部と、
からなることを特徴とする屋根材のクシ状縁切り材。
【請求項２】
前記複数本のクシの先端部が先端に向けテーパーであることを特徴とする請求項１に記載の
屋根材のクシ状縁切り材。
【請求項３】
前記複数本のクシの先端を繋ぐラインが、平面視において、半円状、三角形状、多角形状又はホームベース形状であることを特徴とする請求項１又は請求項２に記載の屋根材のクシ状縁切り材。
【請求項４】
前記ストッパーの底部に、排水溝を設けたことを特徴とする請求項１〜請求項３の何れか１項に記載の屋根材のクシ状縁切り材。
【請求項５】
前記クシ間を連結する連結部を、前記クシと一体かつ底部にスペースをあけて設けたことを特徴とする請求項１〜請求項４の何れか１項に記載の屋根材のクシ状縁切り材。
【考案の詳細な説明】
【技術分野】
【０００１】
本考案は、家屋の屋根に葺かれる板状の屋根材の塗装後、上下屋根材の重なり部に挿入され、重なり部の塗膜を切断し、重なり部に常時空間を形成し、屋根材間に侵入した雨水を積極的に排水させる屋根材のクシ状縁切り材に関する考案である。
【背景技術】
【０００２】
従来、屋根材、特に平板スレート屋根材は、図７に示すように、屋根の野地板１４の上に、防水シート１２を貼り、軒側端部から下屋根材１０ｂを釘などの留具１３で固定し、その上に上屋根材１０ａを重ねながら屋根上部に向け貼られていた。
【０００３】
しかし、家屋の築年数が経過すると、屋根材の塗膜１１が劣化するとともに、屋根材の下端部が反り返り、防水性が失われるため、屋根材の葺き替え、或いは屋根材の再塗装が必要であった。
【０００４】
再塗装の際、屋根材に単に塗装だけを行うと、塗料により上下屋根材１０ａ、１０ｂの重なり部１０ｃが塗膜１１で密閉され、雨水などの水分の排水性が悪化する。その結果、上下屋根材１０ａ、１０ｂの間等に雨水等が長期間滞留し、野地板１４を腐蝕、破損させ、さらには天井の雨漏りに繋がる。
【０００５】
それを防止するため、屋根材の重なり部１０ｃの塗膜１１による密閉部分を切断する、特許文献１〜３に記載の屋根材の縁切り部材が開発されている。
【０００６】
これら縁切り部材は、屋根材表面の塗装後、重なり部１０ｃに挿入することにより、雨水の排水を促進するものである。
【０００７】
例えば、特許文献３の縁切り部材１５は、図８示すように、屋根の補修のため再塗装した後、屋根材の重なり部１０ｃに打ち込んだまま使用する縁切り部材であって、前記屋根材の重なり部１０ｃに挿入する多角形状の板状をなす本体１６と、本体１６には該本体１６が屋根の重なり部１０ｃから離脱しないため本体１６の底部に弾性体に凹凸形状を形成した収納部１６ｃに収納可能な脱離防止片１６ａおよび離脱防止用凸形状部と、本体１６の一部に屋根材の重なり部１０ｃに侵入してくる雨水等を溜める排水溜り用空間１６ｂと、本体１６の手前部に所定の位置決めをするストッパー１７と、ストッパー１７の下部に前記空間１６ｂに溜まった雨水等を排水する排水溝とからなることを特徴とする。
【０００８】
図９に、特許文献３に記載の縁切り部材１５の屋根材への使用状態を示した。重なり部１０ｃに縁切り部材１５を挿入すると、重なり部１０ｃに、常時空間を形成し、上下屋根材１０ａ、１０ｂ間に侵入した雨水を排水溝１７ａから積極的に排水できるというものである。排水溝１７ａは、ストッパー１７と、本体１６が段差１７ｂを設けて連設されるため形成される。
【０００９】
しかしながら、特許文献３に記載の屋根材の縁切り部材１５では、上下屋根材１０ａ、１０ｂ間の雨水を積極的に排水することができるものの、本体１６の面積が広く、縁切り部材１５周辺及び上下屋根材１０ａ、１０ｂと縁切り部材１５との間に、雨水が滞留し続けるとの現象がみられた。さらに、構造が複雑で、高コストであった。
【００１０】
その原因を探求したところ、縁切り部材１５が、板状の幅広の本体１６を有することに起因していた。
【先行技術文献】
【特許文献】
【００１１】
【特許文献１】特開２００５−１２０８０１号公報
【特許文献２】特開２００６−１２５１７３号公報
【特許文献３】特開２００７−０５１５２１号公報
【考案の概要】
【考案が解決しようとする課題】
【００１２】
そこで、本考案は、従来の縁切り部材１５と同定度の幅であっても、縁切り部材周辺の雨水の滞留を改善した、簡易かつ低コストの屋根材のクシ状縁切り材を提供するとことを目的とする。
【課題を解決するための手段】
【００１３】
本考案は、上記の課題を解決するために、
（１）
上下屋根材の重なり部に挿入され、前記重なり部に常時空間を形成し、屋根材間に侵入した雨水を排水させる屋根材のクシ状縁切り材であって、
上屋根材の下端部に引っ掛り挿入位置の位置決めをするストッパーと、
前記ストッパーの底部に上屋根材の下端部側のストッパー面と略垂直になるよう所定の間隔をもって固定された複数本のクシで構成される挿入部と、からなることを特徴とする屋根材のクシ状縁切り材の構成とした。
（２）
前記複数本のクシの先端部が先端に向けテーパーであることを特徴とする（１）に記載の
屋根材のクシ状縁切り材の構成とした。
（３）
前記複数本のクシの先端を繋ぐラインが、平面視において、半円状、三角形状、多角形状又はホームベース形状であることを特徴とする（１）又は（２）に記載の屋根材のクシ状縁切り材の構成とした。
（４）
前記ストッパーの底部に、排水溝を設けたことを特徴とする（１）〜（３）の何れかに記載の屋根材のクシ状縁切り材の構成とした。
（５）
前記クシ間を連結する連結部を、前記クシと一体かつ底部にスペースをあけて設けたことを特徴とする（１）〜（４）の何れかに記載の屋根材のクシ状縁切り材の構成とした。
【考案の効果】
【００１４】
本考案は、上記構成であるので、次の効果を奏する。先ず、クシ状の挿入部とすることで、樹脂総量を減らし、低コスト化するとともに、クシが間隔を開けて固定されているので、挿入部周辺の雨水の滞留も少ない。
【００１５】
また、挿入部を、平面視で半円状、三角形状、多角形状又はホームベース形状等にすることで、さらに先端部をテーパー状とすることで、先端のどの位置からでも上下屋根材の重なり部への挿入を容易に行うことができる。また、クシ同士を連結部で接続することで、クシの強度が増す。
【図面の簡単な説明】
【００１６】
【図１】本考案である屋根材のクシ状縁切り材の第一の実施形態の説明図である。
【図２】本考案である屋根材のクシ状縁切り材の第二の実施形態の説明図である。
【図３】本考案である屋根材のクシ状縁切り材の第三の実施形態の説明図である。
【図４】本考案である屋根材のクシ状縁切り材の第四の実施形態の説明図である。
【図５】本考案である屋根材の縁切り材の第一の実施形態の使用状態図である。
【図６】図５Ｃ−Ｃ位の断面図である。
【図７】再塗装後の屋根材の断面図である。
【図８】従来の縁切り部材の斜視図である。
【図９】従来の縁切り部材の使用状態の断面図である。
【図１０】本考案である屋根材のクシ状縁切り材の第五の実施形態の説明図である。
【考案を実施するための形態】
【００１７】
以下、添付の図面を参照し、本考案の実施の形態について詳細に説明する。なお、本考案は下記実施例に限定されるものではない。
【実施例１】
【００１８】
図１に示すように、本考案の第一の実施形態である屋根材のクシ状縁切り材１は、ストッパー２と、挿入部３とからなる。
【００１９】
ストッパー２は、上屋根材１０ａの下端部に引っ掛かり、屋根材のクシ状縁切り材１の挿入位置の位置決めをする。ストッパー２の底部には、後述のクシの間に連通する排水溝２ａが設けられている。排水溝２ａを設けることで、屋根材の雨水を流下させ、縁切り材周辺に雨水を長時間滞留させない。他の実施例においても同じ。
【００２０】
挿入部３は、ストッパー２の底部に、上屋根材１０ａ端部側のストッパー２の面と略垂直になるよう所定の間隔をもって固定される複数本のクシ４で構成される。クシ４の挿入先端部は、上下屋根材１０ａ、１０ｂの間に挿入し易いように、先端に向けテーパー４ａ形状とすることが好ましい。
【００２１】
複数本のクシ４の先端を繋ぐライン及びストッパー２とで囲まれる形状は、平面視において、半円状１ａとした。挿入部３の先端を全体として半円弧状とし、それぞれのクシ４の先端部をテーパー４ａとすることで、挿入部３の先端は、どの位置からでも上下屋根材１０ａ、１０ｂの重なり部１０ｃに挿入しやすく、挿入作業を一層容易化する。
【００２２】
挿入部３の形状としては、厚み３−２ｍｍ程度、最も長いクシ４においては、長さは３５ｍｍ±１０ｍｍ程度、クシ４の幅５ｍｍ〜２０ｍｍ程度が例示できる。ストッパーの高さは、５ｍｍ前後とすればく、挿入部３の幅としては４０ｍｍ〜５０ｍｍ程度とすればよい。
【００２３】
屋根材のクシ状縁切り材１をこのようなサイズとすれば、上下屋根材１０ａ、１０ｂの重なり部１０ｃに容易に挿入でき、雨水を効率的に排水し、挿入部３の周辺への雨水の滞留時間も短い。さらに、作業者の加重による屋根材１０の破損もない。他の実施例においても同様である。
【００２４】
屋根材のクシ状縁切り材１の素材としては、長期使用に対する腐蝕性、加工の容易性の観点から、樹脂系素材、特にポリカーボネイトが好ましい。また、間隔を設けてクシ４を備えることで、樹脂総量も減り、低コストで、屋根の縁切り材を提供することができることとなる。他の実施例においても同様である。
【００２５】
屋根材のクシ状縁切り材１であっても、従来同様に、屋根材幅が９００ｍｍまでの場合には、左右両端１５ｃｍ位の箇所にそれぞれ１個、計２個挿入する。屋根材幅が６００ｍｍ以下の場合には、どちらか片側の１５ｃｍ位の箇所に１個挿入すればよい。他の実施例においても同様である。
【００２６】
このようにしてなる屋根材のクシ状縁切り材１は、上下屋根材１０ａ、１０ｂの重なり部１０ｃに挿入部３が挿入され、重なり部１０ｃに常時空間を形成し、上下屋根材１０ａ、１０ｂ間に侵入した雨水を排水させると共に、屋根材のクシ状縁切り材１の周辺に滞留する雨水を極めて少なくすることができる。他の実施例においても同じ。
【実施例２】
【００２７】
図２に示すように、本考案の第二の実施形態である屋根材のクシ状縁切り材２０は、ストッパー２と、挿入部２３とからなる。
【００２８】
挿入部２３は、ストッパー２の底部に、上屋根材１０ａ端部側のストッパー２の面と略垂直になるよう所定の間隔をもって固定される複数本のクシ２４で構成される。クシ２４の挿入先端部は、上下屋根材１０ａ、１０ｂの間に挿入し易いように、先端に向けテーパー２４ａ形状とすることが好ましい。
【００２９】
複数本のクシ２４の先端を繋ぐライン及びストッパー２とで囲まれる形状は、平面視において、野球のホームベース形状２０ａ（五角形）とした。挿入部２３の先端を全体としてホームベース形状２０ａとし、それぞれのクシ２４の先端部をテーパー２４ａとすることで、挿入部２３の先端は、どの位置からでも上下屋根材１０ａ、１０ｂの重なり部１０ｃに挿入しやすく、挿入作業を一層容易化する。
【実施例３】
【００３０】
図３に示すように、本考案の第三の実施形態である屋根材のクシ状縁切り材３０は、ストッパー２と、挿入部３３とからなる。
【００３１】
挿入部３３は、ストッパー２の底部に、上屋根材１０ａ端部側のストッパー２の面と略垂直になるよう所定の間隔をもって固定される複数本のクシ３４で構成される。クシ３４の挿入先端部は、上下屋根材１０ａ、１０ｂの間に挿入し易いように、先端に向けテーパー３４ａ形状とすることが好ましい。
【００３２】
複数本のクシ３４の先端を繋ぐライン及びストッパー２とで囲まれる形状は、平面視において、多角形状３０ａ（六角形）とした。挿入部３３の先端を全体として多角形状３０ａとし、それぞれのクシ３４の先端部をテーパー３４ａとすることで、挿入部３３の先端は、どの位置からでも上下屋根材１０ａ、１０ｂの重なり部１０ｃに挿入しやすく、挿入作業を一層容易化する。
【実施例４】
【００３３】
図４に示すように、本考案の第四の実施形態である屋根材のクシ状縁切り材４０は、ストッパー２と、挿入部４３とからなる。
【００３４】
挿入部４３は、ストッパー２の底部に、上屋根材１０ａ端部側のストッパー２の面と略垂直になるよう所定の間隔をもって固定される複数本のクシ４４で構成される。クシ４４の挿入先端部は、上下屋根材１０ａ、１０ｂの間に挿入し易いように、先端に向けテーパー４４ａ形状とすることが好ましい。
【００３５】
複数本のクシ４４の先端を繋ぐライン及びストッパー２とで囲まれる形状は、平面視において、三角形状４０ａとした。挿入部４３の先端を全体として三角形状４０ａとし、それぞれのクシ４４の先端部をテーパー４４ａとすることで、挿入部４３の先端は、どの位置からでも上下屋根材１０ａ、１０ｂの重なり部１０ｃに挿入しやすく、挿入作業を一層容易化する。
【００３６】
図５は、本発明である屋根材のクシ状縁切り材１の使用状態図である。上下に位置する各屋根材１０の重なり部１０ｃに、屋根材１枚につき、屋根材のクシ状縁切り材１を１〜３個程度挿入する。特に、上屋根材１０ａ同士が接合する部分に挿入すると、屋根材１０間に侵入した雨水を効率よく排出することができる。
【００３７】
尚、屋根材１０の重なり部１０ｃに縁切り材を挿入するには、縁切り材の先端部を屋根材１０の重なり部１ ０ｃに少量差し入れ、その後手動あるいは冶具でストッパーの反挿入側面に荷重をかけることで容易に挿入ができる。
【００３８】
図７は本発明である屋根材のクシ状縁切り材の使用状態（図５Ｃ−Ｃ‘位、図１Ａ−Ａ’断面図）の図である。屋根材のクシ状縁切り材１を重なり部１０ｃに挿入すると、上下屋根材１０ａ、１０ｂからの圧力で、屋根材のクシ状縁切り材１は重なり部１０ｃに留まる。
【００３９】
また、図６で明らかなように、ストッパーと下屋根材１０ｂとの間に排水用の排水溝２２ａが開口しているため、雨水を上下屋根材１０ａ、１０ｂの間から外部に排出することができる。
【実施例５】
【００４０】
屋根材のクシ状縁切り材２５は、実施例２の屋根材のクシ状縁切り材２０のクシ２４を連結部２５ｂで接続した連結部２５ａとしたものである。上述の実施例において、図１０に示す屋根材のクシ状縁切り材２５のように、各クシ間をクシと一体に連結部２５ｂで接続することで、挿入部の樹脂総量を低減しつつクシの強度が増し、挿入時のクシの破損がほとんど無くなる。また、連結部２５ｂの底部にスペース２５ｃをあけ、排水溝２ａに連通することで、排水性も低下しない。スペース２５ｃはクシの底部のみならず、上部に、或いは上下双方に設けてもよい。
【００４１】
本発明である屋根材のクシ状縁切り材は、数本、又はそれ以上のクシを含む挿入部をストッパー底部に間隔を開け備えることもできる。屋根材１０の重なり部１０ｃに挿入され、塗膜１１の縁切り及び屋根材１０間の雨水を排出する。その上、縁切り材を挿入した屋根材の直上に人が足等で踏む等の過度の荷重が加わったとしても、屋根材１０が亀裂、破損することない。その結果、雨水等が屋根材１０の間に浸入しても、野地板１４の腐蝕、破損を防止することができる。
【符号の説明】
【００４２】
１      屋根材のクシ状縁切り材
１ａ    半円状
２      ストッパー
２ａ    排水溝
３      挿入部  
４      クシ
４ａ    テーパー
１０    屋根材
１０ａ  上屋根材
１０ｂ  下屋根材
１０ｃ  重なり部
１１    塗膜
１２    防水シート
１３    留具
１４    野地板
１５    縁切り部材
１６    本体
１６ａ  脱離防止片
１６ｂ  排水溜り用空間
１６ｃ  収納部
１７    ストッパー
１７ａ  排水溝
１７ｂ  段差
２０    屋根材のクシ状縁切り材
２０ａ  ホームベース形状
２３    挿入部
２４    クシ
２４ａ  テーパー
２５    屋根材のクシ状縁切り材
２５ａ  挿入部
２５ｂ  連結部
２５ｃ  スペース
３０    屋根材のクシ状縁切り材
３０ａ  多角形状
３３    挿入部
３４    クシ
３４ａ  テーパー
４０    屋根材のクシ状縁切り材
４０ａ  三角形状
４３    挿入部
４４    クシ
４４ａ  テーパー
【図１】
0003189311.tif 000003
【図２】
0003189311.tif 000004
【図３】
0003189311.tif 000005
【図４】
0003189311.tif 000006
【図５】
0003189311.tif 000007
【図６】
0003189311.tif 000008
【図７】
0003189311.tif 000009
【図８】
0003189311.tif 000010
【図９】
0003189311.tif 000011
【図１０】
0003189311.tif 000012